(57)【要約】【課題】使用者のみならず、周囲の人も酸素富化空気および芳香成分空気による生理、心理的効果を得て快適使用ができる酸素富化装置を提供することを目的とする。【解決手段】酸素富化手段２と、芳香成分を発生するアロマ発生手段４と、酸素富化空気を吐出させる空気吐出手段３と、酸素富化空気を使用者の呼吸域に供給する空気供給手段８と、前記酸素富化手段２、アロマ発生手段４および空気吐出手段３を収容しアロマ発生手段４の芳香成分空気を排出する排出部１２を設けた装置本体１とを備えたものである。これによって、空気供給手段８からは酸素富化空気を使用者の呼吸域に供給することが可能になり、同時に装置本体１の排出部１２から雰囲気中に芳香成分空気を排出することができるので、使用者だけでなく、周囲の人も酸素富化空気および芳香成分空気の生理、心理的効果を充分に得て快適使用ができる。【選択図】図１
2007215726.tif 000002
【特許請求の範囲】
【請求項１】
酸素富化手段と、芳香成分を発生するアロマ発生手段と、酸素富化手段で得られた酸素富化空気を吐出させる空気吐出手段と、空気吐出手段による酸素富化空気を使用者の呼吸域に供給する空気供給手段と、前記酸素富化手段、アロマ発生手段および空気吐出手段を収容しアロマ発生手段の芳香成分空気を排出する排出部を設けた装置本体とを備えた酸素富化装置。
【請求項２】
アロマ発生手段で発生した芳香成分を排出部から装置本体外に排出する送気手段を設けた請求項１に記載の酸素富化装置。
【請求項３】
アロマ発生手段と排出部間に配置して送気手段で送り込まれた空気を排出部に送り込む導出部を設けた請求項２に記載の酸素富化装置。
【請求項４】
排出部を酸素富化手段の下流側に設けた請求項１または２に記載の酸素富化装置。
【請求項５】
排出部に送気制御手段を設け、排気方向を可変とした請求項１〜４のいずれか１項に記載の酸素富化装置。
【請求項６】
アロマ発生手段の芳香成分の揮発を制御する揮発制御手段を設けた請求項１〜５のいずれか１項に記載の酸素富化装置。
【発明の詳細な説明】
【技術分野】
【０００１】
本発明は、家庭または事務所などにおいて使用者に酸素富化空気を供給する酸素富化装置に関するものである。
【背景技術】
【０００２】
従来、酸素富化装置は、使用者の心理的、生理的な改善効果を期待したもので、空気中の酸素を富化し、この酸素富化空気を使用者が吸引するというものである。そして、心理的、生理的効果をさらに高めるために、酸素富化空気に芳香成分を直接混合させるようにしたものが知られている（例えば、特許文献１参照）。
【特許文献１】特開２００４−１３６２３２号公報
【発明の開示】
【発明が解決しようとする課題】
【０００３】
しかしながら、前記従来の構成では、酸素富化空気のもつ性質と違う性質をもつ芳香成分を使いたい場合、用いた芳香成分の生理、心理的効果を打ち消す場合があり、使用できる芳香成分が限られてしまうという課題があった。
【０００４】
本発明は、前記従来の課題を解決するもので、芳香成分を使用するものにあって、使用可能な芳香成分が増え、使用者のみならず、周囲の人も酸素富化空気および芳香成分空気による生理、心理的効果を得て快適使用ができる酸素富化装置を提供することを目的とする。
【課題を解決するための手段】
【０００５】
前記従来の課題を解決するために、本発明の酸素富化装置は、酸素富化手段と、芳香成分を発生するアロマ発生手段と、酸素富化手段で得られた酸素富化空気を吐出させる空気吐出手段と、空気吐出手段による酸素富化空気を使用者の呼吸域に供給する空気供給手段と、前記酸素富化手段、アロマ発生手段および空気吐出手段を収容しアロマ発生手段の芳香成分空気を排出する排出部を設けた装置本体とを備えたものである。
【０００６】
これによって、空気供給手段からは酸素富化空気を使用者の呼吸域に供給することが可能になり、同時に装置本体の排出部から雰囲気中に芳香成分空気を排出することができるので、使用可能な芳香成分が増え、使用者だけでなく、周囲の人も酸素富化空気および芳香成分空気による生理、心理的効果を充分に得て快適使用ができるものである。
【発明の効果】
【０００７】
本発明の酸素富化装置は、使用者のみならず、周囲の人も酸素富化空気および芳香成分空気による生理、心理的効果を充分に得て快適使用ができる。
【発明を実施するための最良の形態】
【０００８】
第１の発明は、酸素富化手段と、芳香成分を発生するアロマ発生手段と、酸素富化手段で得られた酸素富化空気を吐出させる空気吐出手段と、空気吐出手段による酸素富化空気を使用者の呼吸域に供給する空気供給手段と、前記酸素富化手段、アロマ発生手段および空気吐出手段を収容しアロマ発生手段の芳香成分空気を排出する排出部を設けた装置本体とを備えた酸素富化装置とすることにより、空気供給手段からは酸素富化空気を使用者の呼吸域に供給することが可能になり、同時に装置本体の排出部から雰囲気中に芳香成分空気を排出することができるので、使用可能な芳香成分が増え、使用者だけでなく、周囲の人も酸素富化空気および芳香成分空気による生理、心理的効果を充分に得て快適使用ができる。
【０００９】
第２の発明は、特に、第１の発明において、アロマ発生手段で発生した芳香成分を排出部から装置本体外に排出する送気手段を設けたことにより、迅速に芳香成分を分散できるので、使用可能な芳香成分が増え、酸素富化空気と芳香成分空気の両方の生理、心理的効果を充分に得ることができると同時に、使用者だけでなく、周囲の人も酸素富化空気および芳香成分空気による生理、心理的効果を得ることができる。
【００１０】
第３の発明は、特に、第２の発明において、アロマ発生手段と排出部間に配置して送気手段で送り込まれた空気を排出部に送り込む導出部を設けたことにより、芳香成分空気の放出を容易にし、効果を向上させることが可能となる。
【００１１】
第４の発明は、特に、第１または第２の発明において、排出部を酸素富化手段の下流側に設けたことにより、酸素富化手段にアロマの粒子が付着することがなくなるので、酸素富化性能を維持でき、使用者が酸素富化空気および芳香成分空気の生理、心理的効果を充分に得ることができる。
【００１２】
第５の発明は、特に、第１〜第４のいずれか１つの発明において、排出部に送気制御手段を設け、排気方向を可変としたことにより、方向成分を供給したい場所に優先的に送ることができるので、効果を高めることができる。よって、使用者が酸素富化空気および芳香成分空気の生理、心理的効果を充分に得ることができる。
【００１３】
第６の発明は、特に、第１〜第５のいずれか１つの発明において、アロマ発生手段の芳香成分の揮発を制御する揮発制御手段を設けたことにより、雰囲気温度に左右されず、酸素富化空気および芳香成分空気の生理、心理的効果を充分に得ることができる。
【００１４】
以下、本発明の実施の形態について、図面を参照しながら説明する。なお、この実施の形態により本発明が限定されるものではない。
【００１５】
（実施の形態）
図１は、本発明の実施の形態における酸素富化装置を示している。
【００１６】
図に示すように、本実施の形態における酸素富化装置は、酸素富化膜を有する酸素富化手段２と、芳香成分を発生するアロマ発生手段４と、酸素富化手段２で得られた酸素富化空気を吐出させるポンプよりなる空気吐出手段３と、空気吐出手段３による酸素富化空気を使用者の呼吸域に供給する一端開放の筒状の空気供給手段８と、前記酸素富化手段２、アロマ発生手段４および空気吐出手段３を収容し酸素富化手段２の下流側の一部にアロマ発生手段４の芳香成分空気を排出する排出部１２を設けた装置本体１とを備えている。
【００１７】
また、装置本体１は、切換手段９、導出部１１および制御手段１６をも収容している。切換手段９は、酸素富化手段２につながる流路６と、外気とつながる流路１０と、空気吐出手段３間に設けられている。空気吐出手段３には空気供給手段８につながり装置本体１外部に延長して自由に扱える流路７が接続されており、この流路７の途中には流路中の結露水を溜めるカプセルよりなる水溜め手段１５を備えている。
【００１８】
導出部１１は、アロマ発生手段４と排出部１２間に配置して送気手段５で送り込まれた空気を排出部１２に案内して送り込む役割をなしている。排出部１２には可動可能なフィンなどからなる送気制御手段１３を設けており、排出部１２からの芳香成分空気の排気方向を可変としている。アロマ発生手段４にはその芳香成分の揮発を制御する揮発制御手段１４を設けている。
【００１９】
制御手段１６は、空気吐出手段３、切換手段９、送気制御手段１３および揮発制御手段１４の動作制御を行うものである。
【００２０】
以上のように構成された酸素富化装置について、以下その動作、作用を説明する。
【００２１】
使用者が酸素富化空気を吸引するとき、制御手段１６で動作を指定する。この信号を受け、各要素部品が動作を開始する。この動作を順に説明する。まず、空気吐出手段３と送気手段５が動作を開始する。空気吐出手段３が動作を開始することで、酸素富化手段２に陰圧が発生し、酸素富化手段２の外側の空気を吸い込む力が発生する。酸素富化手段２は、物質毎に透過速度が異なる。この現象を利用して酸素富化空気を作成する。具体的には、空気中の窒素よりも酸素の透過性が高い膜を採用することにより酸素富化が可能になる。またこのとき酸素富化手段２の外側の酸素が希薄な状態になり、酸素濃縮の効率が低下する。これを打開するためには酸素富化手段２の外側に大量の空気を送り込む必要がある。そこで、送気手段５を駆動し酸素富化手段２の外側に新鮮な空気を常に送りこむことで酸素富化効率を維持している（以下、酸素富化運転と呼ぶ）。酸素富化運転を続けると、空気中の水分も濃縮される。この水分が濃縮されると結露水が発生する。
【００２２】
この結露水は空気の流れとともに押し流され空気供給手段８から飛び出すことになる。このことを防止するため、流路７の途中には水溜め手段１５がある。ここで流路７中の結露水が分離されるので、空気供給手段８から水が飛び出し使用者に不快感をいだかせることはない。さらに、所定時間経過後、切換手段９を切換え、流路７の結露水をパージ運転で排除することで使用者に水が当たらない動作を採用している。具体的には、切換手段９を切換え、空気吐出手段３で直接外部の空気を吸い込み、流路７に高流量の空気を通過させることで、流路７内の結露水を除去している。このようにして、作られた酸素富化空気を吸引することで、使用者はリフレッシュすることができる。
【００２３】
一方、酸素富化空気による生理、心理的リフレッシュ効果をさらに高めたいという使用者は、芳香成分空気を吸引することを望んでいる。しかし、芳香成分の中には、酸素富化空気の生理、心理効果を向上させるものだけではなく、一緒に吸引すると酸素の効果が薄れるものもある。この反面、芳香成分は使用者による嗜好性の違いがあり、すべての使用者を満足させる芳香成分はかなり少ない。
【００２４】
そこで、制御手段１６で空気吐出手段３、送気手段５、切換手段９などの動作を制御し、酸素富化空気だけの供給、芳香成分空気だけの供給、またはこれらの両空気の供給を切換可能とし、酸素富化空気と芳香成分の生理、心理効果の両立を図っている。具体的には、芳香成分を含む空気を吸引したいと使用者が考える場合には、使用者が制御手段１６で動作を選択し、切換手段９を切換え、アロマ発生手段４のみを動作させて排出部１２から芳香成分を含んだ空気が雰囲気中に供給されるようにする。また、酸素富化空気を吸引したい場合には、制御手段１６により切換手段９を切換え、酸素富化手段２、空気吐出手段３を動作させて空気供給手段８から酸素富化空気が供給されるようにする。また、制御手段１６による動作選択で両空気が供給されるようにすることができる。
【００２５】
なお、本実施の形態では、芳香成分と酸素富化空気を交互に発生させるという方法で使用者の生理、心理効果を向上させる方式をとっている。すなわち、本実施の形態の構成を用いれば、酸素富化空気と生理的、心理的な性質の異なる芳香成分を使用できるだけでなく、酸素富化空気の供給後、一定時間あけて芳香成分を供給することが可能となる。酸素富化空気や芳香成分は、生理、心理効果が数分程度残ることがある。このような場合、酸素富化空気供給（または芳香成分の供給）後、これらの余韻が消える時間を経過した後で、芳香成分を供給（または、酸素富化空気を供給）させることで、生理、心理効果をより向上させることができる。
【００２６】
このように、本実施の形態では、酸素富化空気だけの供給、芳香成分空気だけの供給、またはこれらの両空気の供給を切換可能となるので、使用者が酸素富化空気、芳香成分空気の生理、心理的効果を充分に得ることができる。また、酸素富化空気は使用者の呼吸域に供給することが可能で、同時に芳香成分空気は装置本体の排出部から雰囲気中に排出することができるので、使用者だけでなく、周囲の人も酸素富化空気および芳香成分空気による生理、心理的効果を充分に得て快適使用ができるものである。
【００２７】
また、芳香成分空気の供給は、送気手段５を設けたことにより、排出部１２から装置本体１外に排出することができ、迅速に芳香成分を分散できるので、使用可能な芳香成分が増え、酸素富化空気と芳香成分空気の両方の生理、心理的効果を充分に得ることができると同時に、使用者だけでなく、周囲の人も芳香成分による生理、心理的効果を得ることができる。
【００２８】
また、アロマ発生手段４と排出部１２間に配置して送気手段５で送り込まれた空気を排出部１２に送り込む導出部１１を設けたことにより、芳香成分空気の放出を容易にし、効果を向上させることが可能となる。
【００２９】
また、排出部１２を酸素富化手段２の下流側に設けたことにより、酸素富化手段２にアロマの粒子が付着することがなくなるので、酸素富化性能を維持でき、使用者が酸素富化空気および芳香成分空気の生理、心理的効果を充分に得ることができる。
【００３０】
また、排出部１２に送気制御手段１３を設け、排気方向を可変としたことにより、方向成分を供給したい場所に優先的に送ることができるので、効果を高めることができる。よって、使用者が酸素富化空気および芳香成分空気の生理、心理的効果を充分に得ることができる。
【００３１】
さらに、アロマ発生手段４の芳香成分の揮発を制御する揮発制御手段１４を設けたことにより、雰囲気温度に左右されず、酸素富化空気および芳香成分空気の生理、心理的効果を充分に得ることができる。
【産業上の利用可能性】
【００３２】
以上のように、本発明にかかる酸素富化装置は、使用者のみならず周囲の人も酸素富化空気および芳香成分空気による生理、心理的効果を充分に得て快適使用ができるので、家庭用だけでなく、車両、運輸用、スポーツ用にも適用できる。
【図面の簡単な説明】
【００３３】
【図１】本発明の実施の形態における酸素富化装置の構成図
【符号の説明】
【００３４】
１  装置本体
２  酸素富化手段
３  空気吐出手段
４  アロマ発生手段
５  送気手段
６、７、１０  流路
８  空気供給手段
１１  導出部
１２  排出部
１３  送気制御手段
１４  揮発制御手段
１６  制御手段
【図１】
2007215726.tif 000003